(57)【要約】【課題】吸気口から伝播する騒音を低減可能な電動送風機および電気掃除機を提案する。【解決手段】電動送風機８は、複数の羽根３５を有する遠心ファン３６と、遠心ファン３６の周囲を囲んで羽根３５を臨む複数の上流整流板３８を有する整流板３９と、遠心ファン３６および整流板３９を覆うとともに遠心ファン３６の回転軸線Ｃと略同心に位置する吸気口４２を有するファンケース４３と、遠心ファン３６を回転駆動するモータ部４１と、吸気口４２の開口径よりも小さい管径を有して吸気口４２を貫く直管部８５と、直管部８５の端部のうちファンケース４３内に位置する端部に連続して徐々に開口径を広げつつ羽根３５に向かって延びる拡開管部８６と、を有し吸気口４２から羽根３５に至る流路の一部または全部を層状に仕切る整流管４７と、を備える。【選択図】  図２
2012145088.tif 000002
【特許請求の範囲】
【請求項１】
複数の動翼を有する遠心ファンと、
前記遠心ファンの周囲を囲んで前記動翼を臨む複数の静翼を有する整流板と、
前記遠心ファンおよび前記整流板を覆うとともに前記遠心ファンの回転軸線と略同心に位置する吸気口を有するファンケースと、
前記遠心ファンを回転駆動するモータ部と、
前記吸気口の開口径よりも小さい管径を有して前記吸気口を貫く直管部と、前記直管部の端部のうち前記ファンケース内に位置する端部に連続して徐々に開口径を広げつつ前記動翼に向かって延びる拡開管部と、を有し前記吸気口から前記動翼に至る流路の一部または全部を層状に仕切る整流管と、を備えることを特徴とする電動送風機。
【請求項２】
前記動翼に臨む前記拡開管部の開口端は、前記動翼の高さ方向における略中央に向かって延びることを特徴とする請求項１に記載の電動送風機。
【請求項３】
前記整流管の外周部分から径外方向へ放射状に延びる複数のリブを備えることを特徴とする請求項１または２に記載の電動送風機。
【請求項４】
請求項１から３のいずれか１項に記載の電動送風機を備えることを特徴とする電気掃除機。
【発明の詳細な説明】
【技術分野】
【０００１】
本発明の実施形態は、電動送風機および電気掃除機に関する。
【背景技術】
【０００２】
一般に、電気掃除機は、吸込負圧を生じる電動送風機を備える。電動送風機は、遠心ファンと、遠心ファンを回転駆動するモータと、を備える。
【０００３】
遠心ファンは、円板状の第一板と、中央に吸込口を有する環状の第二板と、第一板および第二板に挟まる複数の羽根と、を有する。遠心ファンは、羽根の出口角度が後ろ向きのターボファンである。羽根は、吸込口の開口縁、すなわち第二板の内周から第一板および第二板の外周に至る環状な範囲に位置し、第一板および第二板の略中心を結ぶ回転軸線の径方向へ放射状に延びる。
【０００４】
なお、第一板は主板、ハブもしくは前シュラウドと呼ばれ、第二板はシュラウドもしくは後シュラウドと呼ばれる。また、以下、説明を簡単にするために、遠心ファン内部の流路のうち、第一板、第二板および羽根が囲むように仕切る流路を翼間流路と呼び、吸込口から翼間流路に至る流路を入口流路と呼ぶ。
【０００５】
遠心ファンは、モータから延びるロータ軸の先端を第一板の中心に固定して、ロータ軸と回転一体になることでモータの駆動力を受ける。遠心ファンは、モータが駆動を開始すると回転軸線の周りに回転し、吸込口から空気を吸い込み外周から空気を吐出する。空気は、遠心ファンの回転軸線方向から吸込口を通り、入口流路内で回転軸線の径方向へ流れの向きを転向しつつ翼間流路に流れ込む。遠心ファンを通過する空気の流れは、入口流路内で略９０度に近く流れ向きを転向するため、入口流路内部や翼間流路の内周側において速度差の大きな流速分布を生じたり境界層を生じたりする。
【０００６】
そこで、入口流路内における流れの転向が滑らかになるよう、入口流路にホーン型のキャップを備える電動送風機や、入口流路にインデューサを備える電動送風機が知られている。
【先行技術文献】
【特許文献】
【０００７】
【特許文献１】特開２００５−２１４０５７号公報
【特許文献２】特開２００１−３２７９２号公報
【発明の概要】
【発明が解決しようとする課題】
【０００８】
従来のホーン型のキャップやインデューサを備える電動送風機は、これらホーン型のキャップやインデューサを遠心ファンに固定して一体に回転するため、遠心ファンの慣性モーメントが増加してしまう。
【０００９】
ところで、電動送風機で発生する騒音の主な部分は、遠心ファンを通過する空気流の圧力脈動によって生じる。この騒音は、もっぱら遠心ファンの吸込口から電動送風機の外部へ伝播する。しかしながら、ホーン型のキャップやインデューサは、入口流路における整流の効果を期待できるものの、遠心ファンと一体で回転するために遠心ファン内で生じた騒音を遮ることは難しい。
【００１０】
本発明は、吸気口から伝播する騒音を低減可能な電動送風機および電気掃除機を提案する。
【課題を解決するための手段】
【００１１】
前記の課題を解決するため本発明の実施形態に係る電動送風機は、複数の動翼を有する遠心ファンと、前記遠心ファンの周囲を囲んで前記動翼を臨む複数の静翼を有する整流板と、前記遠心ファンおよび前記整流板を覆うとともに前記遠心ファンの回転軸線と略同心に位置する吸気口を有するファンケースと、前記遠心ファンを回転駆動するモータ部と、前記吸気口の開口径よりも小さい管径を有して前記吸気口を貫く直管部と、前記直管部の端部のうち前記ファンケース内に位置する端部に連続して徐々に開口径を広げつつ前記動翼に向かって延びる拡開管部と、を有し前記吸気口から前記動翼に至る流路の一部または全部を層状に仕切る整流管と、を備えることを特徴とする。
【００１２】
また、本発明の実施形態に係る電気掃除機は、前記電動送風機を備えることを特徴とする。
【図面の簡単な説明】
【００１３】
【図１】本発明の実施形態に係る電気掃除機の外観を示す斜視図。
【図２】本発明の実施形態に係る電動送風機の半分を切り欠いて示す平面図。
【図３】本発明の実施形態に係る電動送風機の整流管を示す斜視図。
【図４】本発明の実施形態に係る電動送風機の整流管を示す側面図。
【図５】本発明の実施形態に係る電動送風機の入口流路における乱流エネルギーの分布を示す等高線図。
【図６】従来の電動送風機の入口流路における乱流エネルギーの分布を示す等高線図。
【図７】本発明の実施形態に係る電動送風機に対する比較例における乱流エネルギーの分布を示す等高線図。
【図８】本発明の実施形態に係る電動送風機に対する比較例における乱流エネルギーの分布を示す等高線図。
【図９】本発明に係る電動送風機の騒音と従来の電動送風機の騒音を比較して示した図。
【発明を実施するための形態】
【００１４】
本発明に係る電動送風機および電気掃除機の実施形態について図１から図９を参照して説明する。
【００１５】
図１は、本発明の実施形態に係る電気掃除機の外観を示す斜視図である。
【００１６】
図１に示すように、本実施形態に係る電気掃除機１は、いわゆるキャニスタ型の電気掃除機である。電気掃除機１は、被掃除面上を走行する掃除機本体２と、掃除機本体２に着脱自在に接続する管部３と、を備える。
【００１７】
掃除機本体２は、本体ケース５と、本体ケース５の両側方に位置する一対の車輪６と、本体ケース５の前半部に位置する着脱自在な塵埃分離集塵部７と、本体ケース５の後半部に位置する電動送風機８と、主に電動送風機８の運転を制御する本体制御部９と、電動送風機８に電力を導く電源コード１１と、を備える。
【００１８】
本体ケース５は、塵埃分離集塵部７に着脱自在な本体接続口１２を有する。本体接続口１２は、掃除機本体２の流体的な入口である。
【００１９】
車輪６は、大径の走行輪である。
【００２０】
塵埃分離集塵部７は、電動送風機８の運転にともない発生する負圧によって掃除機本体２が吸い込む塵埃を含んだ空気（以下、「含塵空気」と呼ぶ。）から塵埃を分離し、捕集する。
【００２１】
本体制御部９は、予め設定された複数の運転モードを有する。また、本体制御部９は、管部３から操作信号を読み取り、この操作信号に対応する任意の運転モードを複数の運転モードから択一的に選択し、選択した運転モードにしたがって電動送風機８を運転する。予め設定された複数の運転モードは、各々、管部３から読み取る操作信号に対応付けて互いに異なる入力値（電動送風機８の入力値）を有する。
【００２２】
電源コード１１は、自由端部に電源プラグ１４を備える。
【００２３】
管部３は、電動送風機８の運転にともない掃除機本体２から作用する負圧によって、被掃除面から含塵空気を吸い込み掃除機本体２に案内する。管部３は、掃除機本体２に着脱自在に接続する継手としての接続管１９と、接続管１９に流体的に接続する集塵ホース２１と、集塵ホース２１に流体的に接続する手元操作管２２と、手元操作管２２から突出する把持部２３と、把持部２３に位置する操作部２４と、手元操作管２２に着脱自在に接続する延長管２５と、延長管２５に着脱自在に接続する吸込口体２６と、を備える。
【００２４】
接続管１９は、本体接続口１２を介して塵埃分離集塵部７に流体的に接続する。
【００２５】
集塵ホース２１は、可撓で細長い略円筒形状のホースである。集塵ホース２１は、接続管１９に繋がる一方の端部（ここでは、後方の端部）を有する。集塵ホース２１は、接続管１９を介して塵埃分離集塵部７に流体的に接続する。
【００２６】
手元操作管２２は、集塵ホース２１の他方の端部（ここでは、前方の端部）に接続する一方の端部（ここでは、後方の端部）を有する。手元操作管２２は、接続管１９および集塵ホース２１を介して塵埃分離集塵部７に流体的に接続する。
【００２７】
把持部２３は、電気掃除機１を操作するために使用者が手で把持する部分である。把持部２３は、使用者が手で容易に把持できるよう、手に合わせた適宜の形状を有して手元操作管２２から突出する。
【００２８】
操作部２４は、それぞれの運転モードに対応するスイッチを備える。具体的には、操作部２４は、電動送風機８の運転停止操作の入力を受け取る停止スイッチ２４ａと、電動送風機８の運転開始操作の入力を受け取る起動スイッチ２４ｂと、を備える。操作部２４は、起動スイッチ２４ｂに代えて、弱運転スイッチ（図示省略）、中運転スイッチ（図示省略）および強運転スイッチ（図示省略）を別個に備えていても良い。電気掃除機１の使用者は、操作部２４を操作して電動送風機８の運転モードを択一的に選択する。
【００２９】
延長管２５は、伸縮可能な細長略円筒状の管である。延長管２５は、複数の筒状体を重ね合わせたテレスコピック構造を有する。延長管２５は、手元操作管２２の他方の端部（ここでは、前方の端部）に着脱自在に接続する一方の端部（ここでは、後方の端部）を有する。延長管２５は、接続管１９、手元操作管２２および集塵ホース２１を介して塵埃分離集塵部７に流体的に接続する。
【００３０】
吸込口体２６は、延長管２５の他方の端部（ここでは、前方の端部）に着脱自在に接続する。また、吸込口体２６は、木床やカーペットなどの被掃除面上を走行自在あるいは滑走自在な構造を有するとともに、走行状態において被掃除面に対向する底面に吸込口２８を有する。さらに、吸込口体２６は、吸込口２８に位置して回転自在な回転清掃体２９と、回転清掃体２９を回転駆動する電動機３１と、を備える。吸込口体２６は、延長管２５、手元操作管２２および集塵ホース２１を介して塵埃分離集塵部７に流体的に接続する。
【００３１】
電気掃除機１は、起動スイッチ２４ｂで運転開始操作を受け取ると電動送風機８の運転を開始して掃除機本体２の内部に負圧（吸込負圧）を発生する。この負圧は、本体接続口１２から集塵ホース２１と手元操作管２２と延長管２５とを経て吸込口体２６の吸込口２８に作用する。吸込口２８に作用した負圧によって、電気掃除機１は、被掃除面に溜まった塵埃を空気とともに吸込口２８から吸い込んで被掃除面を掃除する。このとき、電気掃除機１は、吸込口２８に吸い込んだ含塵空気を塵埃分離集塵部７によって空気と塵埃とに分離する。電気掃除機１は、含塵空気から分離した塵埃を塵埃分離集塵部７に捕集する。他方、電気掃除機１は、含塵空気から分離した空気を塵埃分離集塵部７から電動送風機８へ吸い込んだ後、掃除機本体２から排気する。
【００３２】
図２は、本発明の実施形態に係る電動送風機の半分を切り欠いて示す平面図である。
【００３３】
図２に示すように、本実施形態に係る電動送風機８は、外殻としての電動送風機ケース３３と、動翼として複数の羽根３５を有する遠心ファン３６と、遠心ファン３６の周囲を囲んで羽根３５を臨む複数の上流整流板３８（静翼）を有する整流板３９と、遠心ファン３６を回転駆動するモータ部４１と、を備える。
【００３４】
電動送風機ケース３３は、遠心ファン３６および整流板３９を覆うとともに遠心ファン３６の回転軸線Ｃと略同心に位置する吸気口４２を有するファンケース４３と、モータ部４１を覆うとともに排気口４５を有する電動機ケース４６と、を備える。
【００３５】
また、電動送風機８は、吸気口４２から羽根３５に至る流路の一部または全部を層状に仕切る整流管４７を備える。
【００３６】
なお、説明を容易にするために以下、遠心ファン３６の回転軸線Ｃの吸気口４２側を前方として電動送風機８の前後の方向説明を行う。図２中、実線矢Ｘは、電動送風機８の後方から前方に向かう。
【００３７】
ファンケース４３は、後方側の底部が開口４８する有底円筒状の形状を有する。ファンケース４３は、前方側の底部の略中央に開口する吸気口４２を有する。吸気口４２は、電動送風機８の外部から遠心ファン３６に空気を案内する開口であり、遠心ファン３６の回転軸線Ｃと略同心の円形状の開口である。
【００３８】
電動機ケース４６は、前方側の底部が開口４９する有底円筒状の形状を有する。電動機ケース４６は、開口４９の縁部に連接して径方向外側に延びるフランジ部５１を備える。また、電動機ケース４６は、後方側の底部の略中央にモータヘッド部５２を備える。モータヘッド部５２は、後方に向かって突出する円筒状の形状を有する。モータヘッド部５２は、内周面にベアリング５３を保持する。さらに、電動機ケース４６は、側部の後半部に開口する複数の排気口４５を有する。
【００３９】
電動送風機ケース３３は、ファンケース４３の開口４８に電動機ケース４６のフランジ部５１を嵌め込んで内外の空間を仕切る。
【００４０】
さらに、電動送風機８は、電動機ケース４６の開口４９に架橋して開口４９の一部を塞ぐ長手板状の整流板保持体５５を備える。整流板保持体５５は、整流板３９をファンケース４３内に保持する。整流板保持体５５は、略中央に軸受保持部５６を備える。軸受保持部５６は、前方に突出する円筒状の形状を有する。軸受保持部５６は、内周面にベアリング５７を保持する。また、軸受保持部５６は、ロータ軸５８が貫き通る貫通口５９を有する。開口４９のうち整流板保持体５５で塞がれていない部分（非閉塞部）は、ファンケース４３内側の空間と電動機ケース４６内側の空間とを流体的に接続する連通口である。
【００４１】
遠心ファン３６は、円板状の第一板６１と、略中央に吸込口６２を有する環状の第二板６３と、第一板６１および第二板６３に挟まる複数の羽根３５と、を備える。遠心ファン３６は、回転駆動時に発生する空気との摩擦熱に対する耐熱性や、慣性モーメントの低減などを考慮して、例えばアルミニウム合金を用いることが好ましい。遠心ファン３６は、羽根３５の出口角度が後ろ向きのターボファンである。
【００４２】
第一板６１は、第二板６３の外径と略同等の直径を有する。第一板６１は、中央にモータ部４１から延びるロータ軸５８に遠心ファン３６の全体を固定するための嵌挿孔６５を有する。
【００４３】
第二板６３は、吸込口６２を内周とし、第一板６１と略同等の外径を有する円環形状の板である。第二板６３は、内周である吸込口６２をファンケース４３の吸気口４２に近づけ、外周に向かって緩やかに拡開するラッパ形状を有する。吸込口６２は、ファンケース４３の吸気口４２と同心に位置して吸気口４２よりも若干大きく開口する。
【００４４】
羽根３５は、吸込口６２の開口縁、すなわち第二板６３の内周から第一板６１および第二板６３の外周に至る環状な範囲に位置し、第一板６１および第二板６３の略中心を通る回転軸線Ｃの径方向（直交方向）へ放射状に延びる。羽根３５は、短冊状の細長い板の両長辺をそれぞれ第一板６１または第二板６３にかしめるなどして固定する。羽根３５は、回転軸線Ｃ方向から見ると渦巻状に湾曲し、互いに略等間隔に離間する。なお、第一板６１、第二板６３および羽根３５が囲むように仕切る流路は翼間流路６６であり、吸込口６２から翼間流路６６に至る流路は入口流路６７である。
【００４５】
なお、遠心ファン３６は、羽根３５が巻く渦の反対方向に回転する。
【００４６】
モータ部４１は、電動機ケース４６の前後に延びるロータ軸５８と、ロータ軸５８に回転一体に設けられた回転子６８と、回転子６８の周囲を囲んで電動機ケース４６に固定された固定子６９と、電動機ケース４６の側部を貫いてロータ軸５８を挟み込む一対のブラシ機構７１と、を備える。
【００４７】
ロータ軸５８は、ベアリング５３、５７によって軸支されて遠心ファン３６と同じ回転軸線Ｃ上に回転する。
【００４８】
一対のブラシ機構７１は、ロータ軸５８上に回転子６８の整流子７２を挟み込んで対向する。ブラシ機構７１は、整流子７２に接するカーボンブラシ７３と、カーボンブラシ７３を出没自在に保持するブラシ保持器７５と、を備える。ブラシ保持器７５は、整流子７２にカーボンブラシ７３を押圧し、互いの導通を確保する。
【００４９】
整流板３９は、遠心ファン３６と整流板保持体５５との間に位置して遠心ファン３６が吐出する空気を電動機ケース４６へ導く。整流板３９は、略円板形状の整流板本体７６と、整流板本体７６の遠心ファン３６側の面（前面）に位置する複数の上流整流板３８と、整流板本体７６のモータ部４１側の面（後面）に位置する複数の下流整流板７７と、を備える。整流板３９は、ファンケース４３の内径よりも小さい径方向寸法を有し、整流板３９とファンケース４３との間に隙間を隔てる。
【００５０】
整流板本体７６は、遠心ファン３６の直径よりも大きい直径を有する。整流板本体７６は、整流板保持体５５の軸受保持部５６を嵌め込む略円形状の貫通孔７８を有する。
【００５１】
上流整流板３８は、遠心ファン３６の外周から若干離間して遠心ファン３６の周囲を囲み、羽根３５あるいは翼間流路６６を臨む。それぞれの上流整流板３８は、整流板本体７６から電動送風機８の前方に向かって略垂直に突出する。上流整流板３８は、回転軸線Ｃ方向から見ると渦巻状に湾曲し、互いに略等間隔に離間する。
【００５２】
それぞれの上流整流板３８の間は、遠心ファン３６が吐出する空気を整流板３９の外周側へ導き、次第に幅広となる案内風路７９である。上流整流板３８が巻く渦の方向は、羽根３５が巻く渦の反対方向を向く。
【００５３】
下流整流板７７は、整流板本体７６の外周側に位置する。それぞれの下流整流板７７は、整流板本体７６から電動送風機８の後方に向かって略垂直に突出する。それぞれの下流整流板７７は、回転軸線Ｃ方向から見ると渦巻状に湾曲し、互いに略等間隔に離間する。
【００５４】
それぞれの下流整流板７７の間は、整流板３９とファンケース４３との隙間から電動機ケース４６へと空気を導く流過風路８１である。下流整流板７７が巻く渦の方向は、上流整流板３８が巻く渦の逆方向を向く。
【００５５】
図３は、本発明の実施形態に係る電動送風機の整流管を示す斜視図である。
【００５６】
図４は、本発明の実施形態に係る電動送風機の整流管を示す側面図である。
【００５７】
図２に加えて図３および図４に示すように、電動送風機８の整流管４７は、吸気口４２の開口径よりも小さい管径を有して吸気口４２を貫く直管部８５と、直管部８５の端部のうちファンケース４３内に位置する端部に連続して徐々に開口径を広げつつ羽根３５に向かって延びる拡開管部８６と、を備える。
【００５８】
他方、電動送風機８は、整流管４７の外周部分から径外方向へ放射状に延びる複数のリブ８７と、リブ８７を介して整流管４７をファンケース４３に保持する環状の保持枠８８と、を備える。整流管４７、リブ８７および保持枠８８は、樹脂製の一体成形品であり整流管部材８９と呼ぶ。
【００５９】
保持枠８８は、ファンケース４３の吸気口４２に対して整流管４７の同心を保ちつつ整流管部材８９を位置決めできるよう、吸気口４２に嵌め込み可能な段差８８ａを内周縁に有する。
【００６０】
直管部８５は、保持枠８８の内周よりも小さい管径（例えば、保持枠８８の内周の略２分の１の管径）を有する。
【００６１】
拡開管部８６は、遠心ファン３６の入口流路６７内で翼間流路６６に近づくほど管径が大きく開いて入口流路６７を層状に仕切る。拡開管部８６の開口端である最大開口部の開口径は、整流管部材８９の成形性を考慮すると保持枠８８の内径相当であることが好ましいが、これに限られるものではない。また、拡開管部８６の開口端は、羽根３５の高さ方向における略中央に向かって延びる。
【００６２】
リブ８７は、保持枠８８と整流管４７との隙間（すなわち、整流管４７が仕切る入口流路６７のうち外周側に位置する部分）に位置し、整流管４７の中心線に対して平行に延びる。リブ８７は、保持枠８８と整流管４７との隙間に略等間隔に複数（例えば４枚、なお、２枚以上であればよい。）ある。リブ８７は、整流管部材８９の成形性を考慮すると、保持枠８８の内径と保持枠８８の内径相当の開口径を有する拡開管部８６の最大開口部とを結ぶように延びることが好ましいが、これに限られるものではない。
【００６３】
整流管部材８９あるいは整流管４７は、ファンケース４３の吸気口４２から遠心ファン３６の羽根３５に至る流路（すなわち、遠心ファン３６の入口流路６７に略重なる流路）において、吸気口４２から吸い込まれる空気を流路の外周側と内周側とに分断し、拡開管部８６によって内周側および外周側のそれぞれの流れの向きを滑らかに転向し、羽根３５の高さ方向における空気の速度分布を極力一様にして翼間流路６６へ空気を送り込む。
【００６４】
図５は、本発明の実施形態に係る電動送風機の入口流路における乱流エネルギーの分布を示す等高線図である。
【００６５】
図６は、従来の電動送風機の入口流路における乱流エネルギーの分布を示す等高線図である。
【００６６】
図５および図６は、整流管４７の有無を除いて解析条件を同じにして本実施形態における電動送風機８の入口流路６７における乱流エネルギーの分布の解析結果および従来の電動送風機１００の入口流路における乱流エネルギーの分布の解析結果を示す。
【００６７】
図５および図６に示すように、本実施形態に係る電動送風機８は、入口流路６７と翼間流路６６との連接部分における乱流エネルギーの低減効果が高い。電動送風機８は、従来の電動送風機１００のように入口流路６７と翼間流路６６との連接部分において羽根３５の高さ方向に大きく乱流エネルギーを生じるものに比べて当該領域での騒音の発生を低減できる。
【００６８】
図７および図８は、本発明の実施形態に係る電動送風機に対する比較例における乱流エネルギーの分布を示す等高線図である。
【００６９】
図７に示す電動送風機１０１は、拡開管部８６の開口端を羽根３５の高さの略３分の２に向けた電動送風機８の比較例であり、比較例１と呼ぶ。図８に示す電動送風機１０２は、拡開管部８６の開口端を羽根３５の高さの略３分の１に向けた電動送風機８の比較例であり、比較例２と呼ぶ。図５、図７および図８は、拡開管部８６の開口端が向く羽根３５の高さ位置を除いて解析条件を同じにして入口流路６７における乱流エネルギーの分布の解析結果を示す。
【００７０】
図５、図７および図８に示すように、拡開管部８６の開口端を羽根３５の高さの略中央（略２分の１）に向ける電動送風機８は、入口流路６７と翼間流路６６との連接部分における乱流エネルギーの低減効果が高い。電動送風機８は、比較例１および比較例２のように入口流路６７と翼間流路６６との連接部分において羽根３５の高さ方向に大きく乱流エネルギーを生じるものに比べて、当該領域での騒音の発生を低減できる。
【００７１】
ここで、本実施形態に係る電動送風機８が発生させる騒音と従来の電動送風機が発生させる騒音とを比較し説明する。
【００７２】
図９は、本発明に係る電動送風機の騒音と従来の電動送風機の騒音を比較して示した図である。
【００７３】
なお、図９は、電動送風機８の吸気口４２または従来の電動送風機の吸気口から略１ｍ離れた場所で測定する騒音である。また、騒音の測定結果はＡ特性を考慮している。
【００７４】
図９に示すように、電動送風機８が発生する騒音（図９中の網掛け部分Ａ）は、従来の電動送風機が発生する騒音（図９中の白抜き部分Ｂ）に比べ、約２５０Ｈｚから約２０ｋＨｚの非常に広い周波数帯域に亘って低減している。特に、約３１５Ｈｚ、約５００Ｈｚの周波数帯域における騒音は、おおきく低減している。
【００７５】
本実施形態に係る電動送風機８は、ファンケース４３の吸気口４２から遠心ファン３６の羽根３５に至る流路（遠心ファン３６の入口流路６７）の一部または全部を層状に仕切る整流管４７によって、羽根３５に流れ込む空気を整流して騒音の原因となる流体的な圧力脈動を低減するとともに、遠心ファン３６から伝播する騒音を遮蔽し、電動送風機８の外部に伝播する騒音を小さくできる。
【００７６】
また、本実施形態に係る電動送風機８は、整流管４７をファンケース４３で保持することによって、遠心ファン３６の慣性モーメントを増すことなく電動送風機８の外部に伝播する騒音を小さくできる。
【００７７】
さらに、本実施形態に係る電動送風機８は、吸気口４２の流路断面積をほぼ減少することなく入口流路６７における空気の流れを整流することができるので、電気掃除機１の吸込仕事率を低下することなく、騒音を低減できる。
【００７８】
したがって、本発明に係る電動送風機８または電気掃除機１によれば、吸気口４２から伝播する騒音を低減できる。
【００７９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
１  電気掃除機
２  掃除機本体
３  管部
５  本体ケース
６  車輪
７  塵埃分離集塵部
８  電動送風機
９  本体制御部
１１  電源コード
１２  本体接続口
１４  電源プラグ
１９  接続管
２１  集塵ホース
２２  手元操作管
２３  把持部
２４  操作部
２４ａ  停止スイッチ
２４ｂ  起動スイッチ
２５  延長管
２６  吸込口体
２８  吸込口
２９  回転清掃体
３１  電動機
３３  電動送風機ケース
３５  羽根
３６  遠心ファン
３８  上流整流板
３９  整流板
４１  モータ部
４２  吸気口
４３  ファンケース
４５  排気口
４６  電動機ケース
４７  整流管
４８、４９  開口
５１  フランジ部
５２  モータヘッド部
５３、５７  ベアリング
５５  整流板保持体
５６  軸受保持部
５８  ロータ軸
５９  貫通口
６１  第一板
６２  吸込口
６３  第二板
６５  嵌挿孔
６６  翼間流路
６７  入口流路
６８  回転子
６９  固定子
７１  ブラシ機構
７２  整流子
７３  カーボンブラシ
７５  ブラシ保持器
７６  整流板本体
７７  下流整流板
７８  貫通孔
７９  案内風路
８１  流過風路
８５  直管部
８６  拡開管部
８７  リブ
８８  保持枠
８８ａ  段差
８９  整流管部材
１００  従来の電動送風機
１０１  電動送風機の比較例１
１０２  電動送風機の比較例２
【図１】
2012145088.tif 000003
【図２】
2012145088.tif 000004
【図３】
2012145088.tif 000005
【図４】
2012145088.tif 000006
【図５】
2012145088.tif 000007
【図６】
2012145088.tif 000008
【図７】
2012145088.tif 000009
【図８】
2012145088.tif 000010
【図９】
2012145088.tif 000011